(57)【特許請求の範囲】
【請求項１】
非常時に飲料水等に利用可能な活水貯蔵器であって、
常に新鮮な水が貯蔵出来且つ非常時に取り外して使用出来る貯水槽と、
該貯水槽に設置された、水道の給水系の中間に配置され、フレキシブルホースを介して水道水が入水する着脱可能なバルブと、水道水を該貯水槽を通過後にフレキシブルホースを介して出水する着脱可能なバルブを有し、
該貯水槽中には複数の隔壁を備え、
該複数の隔壁は相互に略平行及び／又は略直交するように配置され、
該隔壁は通過する流水が滞留する部位をなくすため流路となる間隙が水路内で交互に逆側となるように配置され、
該隔壁の間隔は５mm以上１０cm以下であり、
該流路となる間隙は３mm以上５cm以下であり、
且つ、該活水貯蔵器は上面及び下面の対応する位置、及び、側面の対応する位置に接続バルブを有し、
上下に積層且つ左右に連結し、ブロック化して設置出来ることを特徴とする、
非常用活水貯蔵器
【請求項２】
該非常用活水貯蔵器は台所のシンク或いは洗面所のボウルの下部に設置され、
水道水の供給系中に給排水バルブを介して挿入されることを特徴とする、
請求項１記載の非常用活水貯蔵器
【請求項３】
該非常用活水貯蔵器は該隔壁に小孔を有し、
流路中に渦流を生じてデッドゾーンをなくすとともに、
取水時の残水を防止することを特徴とする、
請求項１又は２記載の非常用活水貯蔵器
【請求項４】
該非常用活水貯蔵器はタンク下部に取水用コックを有し、
非常時に飲料水等として使用する際に該コックから容易に取水出来ることを特徴とする、
請求項１乃至３記載の非常用活水貯蔵器
【請求項５】
該非常用活水貯蔵器はタンク上部に折り畳み収納型の取っ手を有し、
非常時に飲料水等として使用する際に容易に持ち運び出来ることを特徴とする、
請求項１乃至４記載の非常用活水貯蔵器
【発明の詳細な説明】
【技術分野】
【０００１】
本発明は、非常時に飲料水等に利用可能な活水貯蔵器に関するものである。
【背景技術】
【０００２】
平成２３年３月１１日に発生した東日本大震災を例に取るまでもなく、我が国は地震国であり幾多の地震、津波等の災害に見舞われて来た。
【０００３】
災害発生時に最も必要とされ、また困難であるのは水、特に飲用に適する水の確保である。このため一般家庭に於いてもペットボトルの飲料水の買い置きなどが行われているが、ペットボトル詰めの水であっても使用期限は存在し、これを守って在庫を管理し期限内に新しいものと入れ替え管理するのは困難であった。また、期限の迫った買い置きの廃棄はコスト的に無駄であるとともに水資源の浪費にも繋がっていた。
【０００４】
これに対する解決策として、水道の流路にタンクを設置し、通常はこのタンクを通って台所等の水栓から給水することで貯留する水の劣化を抑え、非常時にはこれを取り外して飲料水等に活用する非常用迂回式貯水槽等が提案されている。（特許文献１）
【０００５】
また、このような水道流路中に設置する貯水槽の着脱を容易にするバルブ等の提案もなされている。（特許文献２）
【先行技術文献】
【特許文献】
【０００６】
【特許文献１】登録実用新案第３０２８３５３号公報
【特許文献２】登録実用新案第３１１３００６号公報
【発明の概要】
【発明が解決しようとする課題】
【０００７】
しかしながら、従来の非常用迂回式貯水槽等は、その槽内の流路構成の問題から槽内、特に槽の角部分において流水の交換が不完全な部分が生じて、カビの発生など衛生的な問題が生じることが危惧されていた。また、実際に非常時に槽を取り外して使用する場合の使い勝手について、取水の容易さなどの問題があった。
【課題を解決するための手段】
【０００８】
本発明はこれらを解決する非常用活水貯蔵器を提供するものであって、デッドゾーンをなくす流路構成のために、非常時に飲料水等に利用可能な活水貯蔵器であって、常に新鮮な水が貯蔵出来且つ非常時に取り外して使用出来る貯水槽と、該貯水槽に設置された、水道の給水系の中間に配置され、フレキシブルホースを介して水道水が入水する着脱可能なバルブと、水道水を該貯水槽を通過後にフレキシブルホースを介して出水する着脱可能なバルブを有し、該貯水槽中には複数の隔壁を備え、該複数の隔壁は相互に略平行及び／又は略直交するように配置され、該隔壁は通過する流水が滞留する部位をなくすため流路となる間隙が水路内で交互に逆側となるように配置され、該隔壁の間隔（隣接する隔壁相互の間隔）は５mm以上１０cm以下であって、該流路となる間隙（隔壁と活水貯蔵器本体の壁との間に設けた隙間或いは隔壁間に設けた隙間の幅）は３mm以上５cm以下であることを特徴とする。
【０００９】
また本発明は、複数の活水タンクを効率よく連結可能な構成とし、貯蔵水量を増やすことが出来ることを特徴とする。
【００１０】
また本発明は、非常用活水貯蔵器の隔壁に小孔を有し、流路中に渦流を生じてデッドゾーンをなくすとともに、取水時の残水を防止することを特徴とする。
【００１１】
また本発明は、非常用活水貯蔵器のタンク下部に取水用コックを有し、非常時に飲料水等として使用する際に該コックから容易に取水出来ることを特徴とする
【００１２】
また本発明は、非常用活水貯蔵器のタンク上部に折り畳み収納型の取っ手を有し、非常時に飲料水等として使用する際に容易に持ち運び出来ることを特徴とする。
【発明の効果】
【００１３】
本発明の非常用活水貯蔵器は、簡便な構成でもって常に清潔で安全な非常用水を必要量貯留し、非常時には簡便に取り外して飲料水としても適する形で使用可能とするという利点がある。
【図面の簡単な説明】
【００１４】
【図１】図１は、本発明にかかる非常時に飲料水等に利用可能な活水貯蔵器の内部流路構成を示した図である。
【図２】図２は、本発明にかかる非常時に飲料水等に利用可能な活水貯蔵器の設置状況を示す図である。
【図３】図３は、本発明にかかる非常時に飲料水等に利用可能な活水貯蔵器の取水コックについて示す図である。
【図４】図４は、本発明にかかる非常時に飲料水等に利用可能な活水貯蔵器の他の実施形態を示す図である。
【図５】図５は、本発明にかかる非常時に飲料水等に利用可能な活水貯蔵器の隔壁に小孔を配置する例につき示した図である。
【発明を実施するための形態】
【００１５】
以下、発明を実施するための形態の一について、図面を参照しながら説明する。
【実施例１】
【００１６】
図１は、本発明にかかる非常時に飲料水等に利用可能な活水貯蔵器の内部流路構成を示した図である。本発明にかかる非常時に飲料水等に利用可能な活水貯蔵器は、常に新鮮な水が貯蔵出来且つ非常時に取り外して使用出来る貯水槽と、該貯水槽に設置された、水道の給水系の中間に配置され、フレキシブルホースを介して水道水が入水する着脱可能なバルブと、水道水を該貯水槽を通過後にフレキシブルホースを介して出水する着脱可能なバルブを有し、該貯水槽中には複数の隔壁を備え、該隔壁は通過する流水が滞留する部位をなくすため流路となる間隙が交互に逆側となるように配置され、該隔壁の間隔は５mm以上１０cm以下であって、該流路となる間隙は３mm以上５cm以下であることを特徴とする。かかる構成としたことにより、簡便な構成でもって常に清潔で安全な非常用水を必要量貯留することが可能となる。
【００１７】
ここで、隔壁の間隔は５mm以上１０cm以下が望ましいが、これは５mm以下とすると流路が狭溢となって圧力低下などを引き起こし、通常の水道水の供給に支障を来すおそれがあり、また１０cm以上とすると余分なスペースが増えて流速の遅い部分やデッドゾーンが生じ、衛生的な問題を生じるおそれがあるからである。また、同様の理由により流路となる間隙は３mm以上５cm以下であることが望ましい。
【００１８】
図２は、本発明にかかる非常時に飲料水等に利用可能な活水貯蔵器の設置状況を示す図である。非常用活水貯蔵器は台所のシンク或いは洗面所のボウルの下部に設置され、水道水の供給系中に給排水バルブを介して挿入される。かかる構成によって、非常用活水貯蔵器中は常に新鮮な水道水によって満たされており、衛生的な問題なく非常用水を貯留することが出来る。ここで、台所のシンク或いは洗面所のボウルの下部は一般にデッドスペースであって、ここに、非常用活水貯蔵器を設置することはスペース効率の面でも有効である。
【００１９】
図３は、本発明にかかる非常時に飲料水等に利用可能な活水貯蔵器の取水コックについて示す図である。取水コックを取水時の位置に於いて活水貯蔵器下部に備えることにより、実際に貯留した水を使用する際に取水が容易となるだけでなく、衛生的にも有効である。
【００２０】
本発明に係る非常用活水貯蔵器はタンク上部に折り畳み収納型の取っ手を有することも有効である、非常時に飲料水等として使用する際に容易に持ち運び出来る。かかる構成により、主婦など非力な人であっても活水貯蔵器の運搬等が容易となり、使い勝手が向上する。
【実施例２】
【００２１】
図４は、本発明にかかる非常時に飲料水等に利用可能な活水貯蔵器の他の実施形態を示す図である。本発明にかかる非常時に飲料水等に利用可能な活水貯蔵器を連結して用いることにより、非常用水の貯留量を向上させることが出来る。ここで、複数の活水貯蔵器の連結には、通常の水道の給水系の中間に配置されフレキシブルホースを介して水道水が入水する着脱可能なバルブと同様に、フレキシブルホースとバルブにより連結することも出来るが、側面の対応する位置に接続バルブを設置して横方向に連結して設置することや、上面及び下面の対応する位置に接続バルブを上下に設置して積層して設置することも有効である。
【００２２】
もちろん、図のように縦横とも複数個を設置することにより、非常用水の貯留量を最大化することが出来る。
【実施例３】
【００２３】
図５は、本発明にかかる非常時に飲料水等に利用可能な活水貯蔵器の隔壁に小孔を配置する例につき示した図である。隔壁に小孔を配置することにより、通常の通水中は流路中に渦流を生じてデッドゾーンをなくすとともに、非常用水として用いる時には取水時の残水を防止することが可能となり、衛生面の効果が非常に大きい。ここで、小孔の形状は略矩形、略方形、略円形、略楕円形の何れかが好ましく、小孔のサイズは有効面積で０．１乃至１０平方センチメートルの範囲にあることが望ましい。
【産業上の利用可能性】
【００２４】
以上述べて来たように、本発明に係る非常用活水貯蔵器は、大地震等の災害に備えて貯留する飲料水、生活用水に於いて、消費期限等の問題をなくし、常に清潔で衛生的な環境で飲料水、生活用水の貯留を可能とし、またペットボトル等を購入する必要もないからコスト的にも優れ、さらに使い勝手のよい非常用活水貯蔵器を実現するものであり、その社会への貢献、産業上の利用可能は大であるといえる。
【符号の説明】
【００２５】
１    非常用活水貯蔵器本体
２    隔壁
３    流路となる間隙
４    フレキシブルホース
５    連結バルブ
６    貯蔵器間の連結バルブ
７    取水コック
８    隔壁中の小孔
【図１】
0006371163.tif 000002
【図２】
0006371163.tif 000003
【図３】
0006371163.tif 000004
【図４】
0006371163.tif 000005
【図５】
0006371163.tif 000006